(57)【要約】【課題】保護機能の誤動作を回避しつつ確実に保護機能を発揮することができる点灯装置を提供する。【解決手段】実施形態に係る点灯装置は、出力に接続された照明負荷に電力を供給する電力変換回路と、前記電力変換回路の出力の電圧である出力電圧および前記照明負荷に流れる電流である出力電流の少なくとも１つのデータにもとづいて、前記照明負荷の異常および熱的な異常を検出し前記変換回路を停止させる安全回路と、を備える。前記安全回路は、照明負荷の異常を検出した方が熱的な異常を検出した場合よりも早く前記電力変換回路を停止させる。【選択図】図１
2018055853.tif 000002
【特許請求の範囲】
【請求項１】
出力に接続された照明負荷に電力を供給する電力変換回路と、
前記電力変換回路の出力の電圧である出力電圧および前記照明負荷に流れる電流である出力電流の少なくとも１つにもとづいて、前記照明負荷の異常および熱的な異常を検出し前記変換回路を停止させる安全回路と、
を備え、
前記安全回路は、
照明負荷の異常を検出した方が熱的な異常を検出した場合よりも早く前記電力変換回路を停止させる点灯装置。
【請求項２】
前記安全回路は、熱的な異常として前記出力電圧および前記出力電流の積である出力電力が第１しきい値を超えて第１期間継続したときに前記電力変換回路を停止させる請求項１記載の点灯装置。
【請求項３】
前記安全回路は、前記出力電流または前記出力電圧が設定値に到達しない場合であって、到達しない期間が第２期間継続したときに、熱的な異常として前記電力変換回路を停止させる請求項１記載の点灯装置。
【請求項４】
前記安全回路は、前記出力電流または前記出力電圧が設定値に到達しない場合であって、到達しない期間が第２期間継続したときに、熱的な異常として前記電力変換回路を停止させる請求項２記載の点灯装置。
【請求項５】
前記安全回路は、前記第１期間が経過した後には、前記電力変換回路の停止の状態を維持する請求項４記載の点灯装置。
【請求項６】
前記安全回路は、前記第２期間経過後に前記電力変換回路を停止させた場合には、前記第２期間よりも長い第３期間の経過後に前記電力変換回路を再度起動させる請求項４記載の点灯装置。
【請求項７】
前記安全回路は、
照明負荷の異常として、前記出力電圧が第２しきい値を超えた状態が第４期間継続し、または、前記出力電流が第３しきい値を超えた状態が第５期間継続した場合に、前記電力変換部を停止させ、停止状態を維持し、
前記第４期間および前記第５期間は、前記第１期間および前記第２期間よりも短い請求項４記載の点灯装置。
【請求項８】
前記安全回路は、
前記出力電圧と前記第２しきい値とを比較した後に、前記第２期間が経過したか否かを判定し、
前記第２期間が経過したか否かを判定した後に、前記出力電力と前記第１しきい値とを比較する請求項７記載の点灯装置。
【請求項９】
前記第４期間または前記第５期間が経過した後に、前記第３期間が経過した場合には、前記電力変換部の停止の状態を維持する請求項６記載の点灯装置。
【発明の詳細な説明】
【技術分野】
【０００１】
本発明の実施形態は、点灯装置に関する。
【背景技術】
【０００２】
ＬＥＤ照明器具を含む各種照明器具を点灯させる点灯装置には、安全のためさまざまな保護機能が内蔵されている。それぞれの保護機能は、不具合の発生時には、確実に点灯装置を保護するように動作する必要がある。
【０００３】
点灯装置の保護は、たとえば出力に接続される照明器具の異常による過電圧や過電流に対するものがある。しかしながら、たとえば出力電流や出力電力を後から設定することができる点灯装置の場合には、設定された出力電流や出力電力によっては、過電圧や過電流の保護領域内であるにもかかわらず、点灯装置の出力電力を超過するおそれがある。
【０００４】
通常の操作を行った場合に、点灯装置の保護機能がはたらくと、点灯装置が停止し、照明が落ちてしまう。このような保護機能の誤動作を低減する必要もある。
【先行技術文献】
【特許文献】
【０００５】
【特許文献１】特開２０１４−２３５９６６号公報
【発明の概要】
【発明が解決しようとする課題】
【０００６】
実施形態は、保護機能の誤動作を回避しつつ確実に保護機能を発揮することができる点灯装置を提供する。
【課題を解決するための手段】
【０００７】
実施形態に係る点灯装置は、出力に接続された照明負荷に電力を供給する電力変換回路と、前記電力変換回路の出力の電圧である出力電圧および前記照明負荷に流れる電流である出力電流の少なくとも１つのデータにもとづいて、前記照明負荷の異常および熱的な異常を検出し前記変換回路を停止させる安全回路と、を備える。前記安全回路は、照明負荷の異常を検出した方が熱的な異常を検出した場合よりも早く前記電力変換回路を停止させる。
【発明の効果】
【０００８】
本実施形態では、出力に接続された照明負荷に電力を供給する変換回路と、前記電源回路の出力の電圧である出力電圧および前記照明負荷に流れる電流である出力電流の少なくとも１つのデータにもとづいて、前記変換回路を停止させる安全回路と、を備える。前記安全回路は、前記出力電圧および前記出力電流の少なくとも１つに起因して、前記変換回路を構成する部品の発熱が所定の期間継続した場合に前記変換回路を停止させる。
【図面の簡単な説明】
【０００９】
【図１】実施形態に係る点灯装置を例示するブロック図である。
【図２】実施形態の点灯装置の保護機能の動作範囲を例示する図である。
【図３】実施形態の点灯装置の動作を説明するためのフローチャートの例である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
図１は、実施形態に係る点灯装置を例示するブロック図である。
図１に示すように、本実施形態の点灯装置１０は、電力変換部２０と、制御回路３０と、安全回路４０と、を備える。点灯装置１０は、交流端子１１ａ，１１ｂと、出力端子１１ｃ，１１ｄと、を含む。点灯装置１０は、交流端子１１ａ，１１ｂを介して、交流電源１に接続される。交流電源１は、たとえば商用電源である。点灯装置１０は、出力端子１１ｃ，１１ｄを介して、照明ユニット２に接続される。照明ユニット２は、発光素子２ａを含む。発光素子２ａは、複数個直列に接続されていてもよい。照明ユニット２は、接続端子３ａ，３ｂを有しており、接続端子３ａ，３ｂは、点灯装置１０の出力端子１１ｃ，１１ｄとそれぞれ接続される。
【００１２】
点灯装置１０は、調光信号端子１１ｅを含む。点灯装置１０は、調光信号端子１１ｅを介して調光信号が入力される。入力される調光信号は、たとえばＤＡＬＩ（Degital Addressable Lighting Interface）等の照明制御信号である。
【００１３】
点灯装置１０は、交流電源１から交流電力の供給を受けて、調光信号にによって設定されたたとえば明るさで照明ユニット２を点灯させる。
【００１４】
点灯装置１０は、後述する電流検出器１２２の抵抗値を可変することによって照明ユニット２に供給する電流が設定することができる。つまり、点灯装置１０は、点灯装置１０の出力電力容量の範囲内で、異なる電力容量の照明ユニットを接続して点灯することができる。
【００１５】
電力変換部２０は、突入電流防止回路２２と、整流平滑回路２４と、ＤＣ−ＤＣコンバータ２６と、を含む。
【００１６】
突入電流防止回路２２は、交流端子１１ａと整流平滑回路２４との間に接続されている。突入電流防止回路２２は、電源投入時に、後段の整流平滑回路に流入する突入電流を抑制する。
【００１７】
整流平滑回路２４は、突入電流防止回路２２とＤＣ−ＤＣコンバータ２６との間に接続されている。整流平滑回路２４は、整流回路および平滑回路を含んでおり、平滑回路は、アクティブ平滑フィルタであってもよい。整流平滑回路２４は、交流電圧を整流し、平滑して直流電圧に変換して出力する。
【００１８】
ＤＣ−ＤＣコンバータ２６は、整流平滑回路２４と、出力端子１１ｃ，１１ｄとの間に接続されている。ＤＣ−ＤＣコンバータ２６は、整流平滑回路２４から出力される脈流を含む直流電圧を一定の電圧または一定の電流に変換して負荷に供給する。ＤＣ−ＤＣコンバータ２６は、調光信号に応じた電力を設定して負荷に供給し、たとえば負荷である照明ユニット２の明るさを制御する。
【００１９】
ＤＣ−ＤＣコンバータ２６は、図示しないが、たとえばチョッパ方式のスイッチング電源回路を含む。スイッチング電源回路は、たとえば降圧型のチョッパである。スイッチング電源回路の形式は、降圧型に限らず、昇圧型、昇降圧型等であってもよい。スイッチング電源回路の形式は、入出力の電圧や出力電力等によって任意に設定することができる。
【００２０】
ＤＣ−ＤＣコンバータ２６は、電圧検出器１２１と、電流検出器１２２と、を含む。電圧検出器１２１は、出力端子１１ｃ，１１ｄ間に接続されている。電圧検出器１２１は、たとえば抵抗分圧回路である。電圧検出器１２１は、直列に接続された抵抗器１２１ａ，１２１ｂを含む。電圧検出器１２１の出力電圧は、抵抗器１２１ａ，１２１ｂの接続ノードから出力される。つまり、電圧検出器１２１は、点灯装置１０の出力電圧を検出して、出力電圧に比例する電圧を検出電圧Ｖｄｅｔとして出力する。検出電圧Ｖｄｅｔは、安全回路４０に入力される。
【００２１】
電流検出器１２２は、ＤＣ−ＤＣコンバータ２６の出力線に直列に接続されている。電流検出器１２２は、たとえば抵抗器である。電流検出器１２２の一端はＤＣ−ＤＣコンバータ２６の内部で接地されている。電流検出器１２２の他端は、出力端子１１ｄに接続されている。
【００２２】
電流検出器１２２は、ＤＣ−ＤＣコンバータ２６の出力線に流れる電流を検出して、電圧値に変換して出力する。出力に照明ユニット２が接続された場合には、電流検出器１２２は、照明ユニット２に流れる電流を検出して電圧値の次元を有する検出電流Ｉｄｅｔ１として出力する。検出電流Ｉｄｅｔ１は、制御回路３０および安全回路４０にそれぞれ入力される。
【００２３】
制御回路３０は、調光制御回路１３１と、ＰＷＭ回路１３２と、電流制御アンプ１３３と、基準電源１３４と、を含む。
【００２４】
調光制御回路１３１には、調光信号端子１１ｅを介して調光信号が入力される。調光制御回路１３１は、入力した調光信号をたとえば調光ＰＷＭ信号に変換して出力する。
【００２５】
ＰＷＭ回路１３２は、調光制御回路１３１および電流制御アンプ１３３のそれぞれの出力に接続されている。ＰＷＭ回路１３２の出力は、電力変換部２０に供給される。電力変換部２０が力率改善回路を含んでいる場合には、ＰＷＭ回路１３２の出力は、力率改善回路およびＤＣ−ＤＣコンバータ２６のそれぞれに供給される。
【００２６】
電流制御アンプ１３３は、一方の入力には、電流検出器１２２の出力が接続されている。他方の入力には、基準電源１３４が接続されている。電流制御アンプ１３３は、電流検出器１２２から出力される検出電流Ｉｄｅｔ１と基準電源の値Ｉｒｅｆとの誤差を増幅して出力する。
【００２７】
ＰＷＭ回路１３２は、電流制御アンプ１３３の出力に応じて駆動信号を生成する。検出電流Ｉｄｅｔ１が基準電源の値Ｉｒｅｆよりも大きいときには、駆動信号のデューティ比は小さくなる。検出電流Ｉｄｅｔ１が基準電源の値Ｉｒｅｆよりも小さいときには、駆動信号のデューティ比は大きくなる。
【００２８】
ＤＣ−ＤＣコンバータ２６は、たとえば降圧型チョッパである。スイッチング素子のデューティ比に応じて、ＤＣ−ＤＣコンバータ２６の出力電圧および出力電流が設定される。ＤＣ−ＣＤコンバータ２６は、ＰＷＭ回路１３２が出力する駆動信号のデューティ比に応じてスイッチング素子がスイッチングし、検出電流Ｉｄｅｔ１が基準電源の値Ｉｒｅｆに等しくなるように動作する。
【００２９】
ＰＷＭ回路１３２は、調光制御回路１３１が出力する調光ＰＷＭ信号に応じて、動作と非動作とを繰り返す。ＰＷＭ回路１３２が動作するときには、出力に電力が供給され、ＰＷＭ回路１３２が非動作のときには、出力に電力が供給されない。出力に供給される電力のデューティによって、照明ユニット２の点灯時の明るさが変化する。調光ＰＷＭ信号は、調光信号に応じて設定されるので、照明ユニット２は、調光信号に応じて調光される。
【００３０】
安全回路４０は、電圧検出器１２１および電流検出器１２２のそれぞれの出力に接続されており、検出電圧Ｖｄｅｔおよび検出電流Ｉｄｅｔ１が入力される。
【００３１】
安全回路４０は、照明負荷の異常検出としての過電圧検出部１４１、熱的な異常検出としての過電流検出部１４２、電力演算部１４３、過電力検出部１４４および異常電流検出部１４５を含む。過電圧検出部１４１、過電流検出部１４２、過電力検出部１４４および異常電流検出部１４５の出力は、ＡＮＤ回路１４６に接続されている。ＡＮＤ回路１４６は、過電圧検出部１４１、過電流検出部１４２、過電力検出部１４４および異常電流検出部１４５のうちいずれか１つの出力がアクティブになったときには、停止信号ＨＬＴを出力する。
【００３２】
過電圧検出部１４１は、検出電圧Ｖｄｅｔに関する過電圧しきい値Ｖｏｖを有する。過電圧検出部１４１は、電圧検出器１２１から出力される検出電圧Ｖｄｅｔを入力する。過電圧検出部１４１は、検出電圧Ｖｄｅｔと過電圧しきい値Ｖｏｖとを比較する。検出電圧Ｖｄｅｔが過電圧しきい値Ｖｏｖを超えた場合には、安全回路４０は、制御回路３０に停止信号ＨＬＴを送出する。
【００３３】
過電流検出部１４２は、検出電流Ｉｄｅｔ１に関する過電流しきい値Ｉｏｃを有する。過電流検出部１４２は、電流検出器１２２から出力された検出電流Ｉｄｅｔ１を入力する。過電流検出部１４２は、検出電流Ｉｄｅｔ１と過電流しきい値Ｉｏｃとを比較する。検出電流Ｉｄｅｔ１が過電流しきい値Ｉｏｃを超えた場合には、安全回路４０は、制御回路３０に停止信号ＨＬＴを送出する。
【００３４】
過電圧検出部１４１および過電流検出部１４２のそれぞれの検出値がそれぞれのしきい値を超えた後、安全回路４０から停止信号ＨＬＴが送出されるまでの期間Ｔｏｖ，Ｔｏｃは、好ましくはゼロである。期間Ｔｏｖ，Ｔｏｃはゼロでない場合には、極力短いことが好ましく、期間Ｔｏｖ，Ｔｏｃは、少なくとも、後述する他の保護機能がしきい値を検出後、停止信号ＨＬＴを送出するまでの期間よりも十分短い。
【００３５】
電力演算部１４３は、入力された検出電圧Ｖｄｅｔおよび検出電流Ｉｄｅｔ１の積である検出電力Ｐｃａｌを演算して出力する。電力演算部１４３の出力は、過電力検出部１４４に接続されている。過電力検出部１４４は、検出電力Ｐｃａｌに関する過電力しきい値Ｐｏｖｒを有する。安全回路４０は、検出電力Ｐｃａｌが過電力しきい値Ｐｏｖｒを超えた場合には、停止信号ＨＬＴを制御回路３０に送出する。
【００３６】
好ましくは、安全回路４０は、検出電力Ｐｃａｌが過電力しきい値Ｐｏｖｒを超えた状態が、あらかじめ設定された期間Ｔｏｖｒ以上継続した場合に停止信号ＨＬＴを送出する。安全回路４０は、検出電力Ｐｃａｌが過電力しきい値Ｐｏｖｒを超えた状態が期間Ｔｏｖｒに満たない場合には、停止信号ＨＬＴを送出しない。上述したとおり、期間Ｔｏｖｒは、期間Ｔｏｖ，Ｔｏｃに比べて長い時間に設定されている。
【００３７】
停止信号ＨＬＴを受信した制御回路３０は、発信動作を停止する。そのため、点灯装置１０は動作を停止し、照明ユニット２への電力供給が遮断される。
【００３８】
上述の場合には、安全回路４０が送出する停止信号ＨＬＴは、たとえばローレベルである。点灯装置１０の交流電源１を遮断し、再度交流電源１を投入して点灯装置１０を再起動することによって制御回路３０および安全回路４０が再起動した場合に、停止信号ＨＬＴのローレベルの状態が解除される。したがって、安全回路４０は、過大な出力電圧あるいは過大な出力電流を検出した場合に、点灯装置１０の動作を停止させ、停止状態を維持することができる。
【００３９】
安全回路４０が送出する停止信号ＨＬＴは、あらかじめ設定されたパルス幅を有するローベルのワンショット信号でもよい。制御回路３０は、ラッチ回路を有しており、ローレベルのワンショット信号が入力された制御回路３０は、発振動作を停止し、その状態がラッチされる。
【００４０】
安全回路４０は、制御回路３０の電流制御アンプ１３３の出力に接続されている。電流制御アンプ１３３は、電流制御信号Ｉｄｅｔ２を安全回路４０に供給する。安全回路４０は、電流制御信号Ｉｄｅｔ２に関する異常電流しきい値Ｉｆｌｔを有する。異常電流しきい値Ｉｆｌｔは、たとえば、電流制御アンプ１３３の出力が飽和する電圧に設定される。
【００４１】
安全回路４０は、電流制御信号Ｉｄｅｔ２が異常電流しきい値Ｉｆｌｔを超えた状態が期間Ｔｆｌｔ１以上継続した場合には、停止信号ＨＬＴを制御回路３０に送出する。期間Ｔｆｌｔ１は、期間Ｔｏｖ，Ｔｏｃに比べて十分長い時間に設定される。
【００４２】
この場合においては、たとえば停止信号ＨＬＴはローレベルでありその状態が維持される。ローレベルの状態となった停止信号ＨＬＴは、あらかじめ設定した期間Ｔｆｌｔ２経過後にハイレベルに反転する。停止信号ＨＬＴがハイレベルに反転したことによって、制御回路３０は、停止状態が解除され、動作を再開する。
【００４３】
つまり、電流制御アンプ１３３の出力が飽和レベルまで上昇または低下した状態が継続した場合には、安全回路４０は、電流検出信号Ｉｄｅｔ２に異常があるものと認識する。点灯装置１０は、異常状態が解消されるまで、動作状態と停止状態とを繰り返す。
【００４４】
上述の例では、発光ダイオードを発光素子２ａとして用いた点灯装置の場合であり、電流制御アンプを用いて、異常電流を検出することができる。点灯装置が定電圧を出力する場合には、上述と同様にして、電圧制御アンプを用いて、異常電圧検出を行うことができる。
【００４５】
安全回路４０は、たとえばマイクロコンピュータやマイクロコントローラ等の図示しないメモリ等の記憶装置に格納されたプログラムの各ステップにしたがって動作する半導体装置であってもよい。安全装置４０がマイクロコンピュータ等の場合には、安全装置４０の過電圧検出部１４１、過電流検出部１４２、電力演算部１４３、過電力検出部１４４および異常電流検出部１４５のそれぞれは、一部または全部がプログラムに含まれるステップの一部または全部として実行されてもよい。
【００４６】
実施形態の点灯装置の動作について説明する。
図２は、実施形態の点灯装置の保護機能の動作範囲を例示する図である。
図２では、横軸に点灯装置１０の出力電流、縦軸に点灯装置１０の出力電圧をとり、点灯装置１０が安全に動作することができる範囲が正常動作領域として示されている。正常動作領域以外の領域は、動作停止領域である。
【００４７】
図２に示すように、点灯装置１０は、出力し得る最大電圧を有しており、これを超えた場合には、過電圧保護機能が動作する。たとえば、過電圧保護機能のしきい値は、点灯装置１０の最大出力電圧の１１０％等のように設定される。点灯装置１０の出力電圧が過電圧保護機能のしきい値を超えた場合には、点灯装置１０は、制御回路３０の発信動作を停止することによって動作を停止する。この停止状態は、電源再投入等によって、制御回路３０が再起動することによって解除されるラッチ動作である。
【００４８】
点灯装置１０は、出力し得る最大電流を有しており、これを超えた場合には、過電流保護機能が動作する。たとえば過電流保護機能のしきい値は、点灯装置１０の最大電流の１１０％等のように設定される。点灯装置１０の出力電流が過電流保護機能のしきい値を超えた場合には、点灯装置１０は、制御回路３０の発信動作を停止することによって動作を停止しラッチする。ラッチ動作の解除のためには、電源再投入等によって、制御回路３０が再起動する。
【００４９】
過電圧保護機能および過電流保護機能は、点灯装置１０の外部に接続される照明ユニット２等の異常によって生じる異常状態から、点灯装置１０を保護する目的で設けられていいる。そのため、より安全に保護することができるように、異常状態の検出後、すみやかに点灯装置１０を遮断するように動作する。そして、保護状態は維持され、解除するには、電源再投入を必要とする。
【００５０】
点灯装置１０は、出力することができる最大電力を有する。点灯装置１０が出力する電力が最大電力を超えた場合には、過電力保護機能が動作する。最大電力のしきい値は図２の一点鎖線で示されている。過電力保護機能のしきい値Ｐｏｖｒは、出力電圧が過電圧しきい値Ｖｏｖの場合に、流し得る出力電流Ｉ１としたときにＶｏｖ×Ｉ１である。過電力保護機能のしきい値Ｐｏｖｒは、出力電流が過電流しきい値Ｉｏｃの場合に、出力し得る出力電圧Ｖ１としたときにＶ１×Ｉｏｃである。Ｖｏｖ×Ｉ１は、Ｖ１×Ｉｏｃとほぼ等しく、図２の一点鎖線は、点灯装置１０が出力し得る等電力となる線である。
【００５１】
過電力保護機能のしきい値Ｐｏｖｒは、点灯装置１０が出力することができる最大電力のたとえば１１０％等に設定される。
【００５２】
点灯装置１０は、出力電力が過電力保護機能のしきい値Ｐｏｖｒを超えた後、あらかじめ設定された期間Ｔｏｖｒの経過後、過電力の状態が継続される場合に、出力を遮断する。点灯装置１０は、制御回路３０の発振動作を停止することによって動作を停止し、その状態をラッチする。ラッチ動作の解除のためには、電源再投入等によって、制御回路３０を再起動させる必要がある。
【００５３】
過電力保護機能は、点灯装置１０の最大出力電力よりも大きな消費電力を有する照明ユニットが出力に接続された場合に、点灯装置１０を保護するために設けられている。点灯装置１０が過大な電力を出力する場合には、点灯装置１０自体あるいは内部の部品が発熱し、時間の経過とともに温度が上昇して許容温度を超過し得る。一方、短時間であれば、過大な出力電力を出力しても、温度上昇が小さいため、許容温度以内とすることができる。
【００５４】
そのため、本実施形態の点灯装置１０では、過電力保護機能の動作は、所定の期間Ｔｏｖｒを超えて過電力状態が継続した場合に点灯装置１０の出力を遮断する。
【００５５】
このようにすることによって、瞬時的な過電力状態で点灯装置１０が動作停止する誤動作を防止しつつ、確実に過電力出力時に点灯装置１０を保護することができる。
【００５６】
異常電流保護機能は、出力電流が基準電源の値Ｉｒｅｆによって設定される値よりも大きい状態が継続する場合に動作する。電流制御アンプ１３３は、電流検出器１２２から出力される検出電流Ｉｄｅｔ１が基準電源の値Ｉｒｅｆよりも大きい場合には、たとえばハイレベルの電圧を出力する。点灯装置１０に出力電流が通常の範囲であれば、検出電流Ｉｄｅｔ１は通常の範囲に戻る。たとえば、電流検出器１２２に何らかの異常があり、出力電流が流れているにもかかわらず、その電流値に応じた検出電流Ｉｄｅｔ１を出力しない場合が継続しときには、電流制御アンプ１３３は、ハイレベルの制御信号を出力し続ける。安全回路４０は、制御信号のレベルがしきい値Ｉｆｌｔを超えて、あらかじめ設定された期間Ｔｆｌ７１継続したときには、停止信号ＨＬＴを制御回路３０に送出する。
【００５７】
停止信号ＨＬＴを受信した制御回路３０は、発振動作を停止し、したがって、点灯装置１０に出力は遮断される。
【００５８】
安全回路４０は、さらに、停止信号ＨＬＴを送出した後、あらかじめ設定された期間Ｔｆｌｔ２が経過した場合には、制御回路３０に再起動信号を送出する。再起動信号を受信した制御回路３０は、再起動し、負荷に出力電流を供給する。この後、検出電流Ｉｄｅｔ１が正常に出力されないときには、安全回路４０は、停止信号ＨＬＴを制御回路３０に再度送出し点灯装置１０を停止させる。点灯装置１０は、このような動作を繰り返す。
【００５９】
図３は、本実施形態の点灯装置の動作を説明するためのフローチャートの例である。
図３に示すように、ステップＳ１において、安全回路４０は、検出電圧Ｖｄｅｔおよび検出電流Ｉｄｅｔ１の各データを取得する。取得された各データは、たとえば安全回路４０内のレジスタ等に一時的に記憶される。
【００６０】
ステップＳ２において、安全回路４０は、検出電圧Ｖｄｅｔおよび検出電流Ｉｄｅｔ１を用いて、出力電力演算値Ｐｃａｌを計算する。
【００６１】
ステップＳ３において、安全回路４０は、検出電圧Ｖｄｅｔと過電圧しきい値Ｖｏｖとを比較する。安全回路４０は、検出電圧Ｖｄｅｔが過電圧しきい値Ｖｏｖ以上のときには、ステップＳ４に処理を遷移させる。
【００６２】
ステップＳ４において、安全回路４０は、停止信号ＨＬＴを制御回路３０に送信する。制御回路３０は、停止信号ＨＬＴによって発振動作を停止する。そのため、点灯装置１０は動作を停止し、出力が遮断される。
【００６３】
ステップＳ３で検出電圧Ｖｄｅｔが過電圧しきい値Ｖｏｖよりも低いときには、次のステップＳ５に処理を遷移させる。
【００６４】
ステップＳ５において、安全回路４０は、電流制御信号Ｉｄｅｔ２と異常電流しきい値Ｉｆｌｔとを比較する。安全回路４０は、電流制御信号Ｉｄｅｔ２が異常電流しきい値Ｉｆｌｔ以上の状態が期間Ｔｆｌｔ１を経過した場合には、ステップＳ６に処理を遷移させる。
【００６５】
ステップＳ６において、安全回路４０は、制御回路３０に停止信号ＨＬＴを送出する。
【００６６】
ステップＳ７において、安全回路４０は、停止信号ＨＬＴを送出後、所定の期間Ｔｆｌｔ２が経過したか否かを判定し、期間Ｔｆｌｔ２を経過するまで待機する。期間Ｔｆｌｔ２を経過したときには、安全回路４０は、ステップＳ８に処理を遷移させる。
【００６７】
ステップＳ８において、安全回路４０は、停止解除信号を制御回路３０に送出する。停止解除信号を受信した制御回路３０は、発振動作を開始し、再起動する。したがって、点灯装置１０は再起動して、出力に電流を供給する。
【００６８】
ステップＳ５で、電流制御信号Ｉｄｅｔ２が異常電流しきい値Ｉｆｌｔよりも低いときには、安全回路４０は、処理をステップＳ９に遷移させる。
【００６９】
ステップＳ９において、安全回路４０は、出力電力演算値Ｐｃａｌと出力電力しきい値Ｐｔｈとを比較する。安全回路４０は、出力電力演算値Ｐｃａｌが出力電力しきい値以上かつ所定の期間Ｔｏｖｒを経過したときには、ステップＳ１０に処理を遷移させる。
【００７０】
ステップＳ１０において、安全回路４０は、制御回路３０に停止信号ＨＬＴを送出する。制御回路３０は、停止信号ＨＬＴにより発振動作を停止し、停止状態をラッチする。
【００７１】
ステップＳ９で、出力電力演算値Ｐｃａｌが出力電力しきい値Ｐｏｖｒよりも小さいときには、最初のステップＳ１に戻って、上述の処理を繰り返す。
【００７２】
なお、上述のフローチャートは、一例であり、上述の手順に限定されるものではない。たとえば、ステップＳ１でデータ取得後、ステップＳ３の判定を行い、その後、出力電力演算値Ｐｃａｌの計算を行ってもよいし、ステップＳ９の出力電力の判定後、異常電流の判定を行うようにしてもよい。
【００７３】
また、異常電流の検出を行っているときに（ステップＳ５）、出力電力の過大を判定するようにしてもよい（ステップＳ９）。
【００７４】
本実施形態の点灯装置１０の効果について説明する。
本実施形態の点灯装置１０は、安全回路４０を備えているので、過電圧保護および過電流保護に加えて、過電力保護を行うことができる。たとえば、電流検出器１２２の設定（抵抗値）を変えることによって、負荷に供給することができる出力電流を変更することができる点灯装置の場合には、出力の電圧や電流が点灯装置の定格値以内であっても、出力電力容量を超過することがある。より具体的に、点灯装置１０の出力電力容量が１００Ｗの場合には、１００Ｖ，１Ａの負荷や１０Ｖ，１０Ａの負荷の両方を用いることができる。
【００７５】
このような場合に、過電圧保護を１１０Ｖ、過電流保護を１．１Ａに設定した場合には、１５Ｖ，１０Ａの負荷を出力に接続した場合には、消費電力が１５０Ｗとなる。この場合には、過電圧保護機能も過電流保護機能も動作しない。これは、点灯装置１０としては、過電力を出力している状態である。このような状態を放置した場合には、点灯装置１０は、過熱状態となり、いずれ故障等に至る。本実施形態の点灯装置１０では、たとえば、１１０Ｗ（定格出力の１１０％）で過電力機能が動作するので、点灯装置を破損等の不具合から保護することができる。
【００７６】
負荷の消費電力が点灯装置１０の出力電力容量よりも大きい場合には、過大な出力電力を供給することによって、点灯装置１０は発熱する。しかしながら、電力印加による発熱は、点灯装置１０や点灯装置１０を構成する部品、部材の熱抵抗や熱容量によって、破損に至る発熱に到達するまである程度の時間を要する。たとえば、図２において、×印の状態で過電力しきい値を超えても、期間Ｔｏｖｒ以内に矢印のように正常動作領域内に入れば、点灯装置１０は停止せず、動作を継続することができる。
【００７７】
本実施形態の点灯装置１０では、過電力保護機能の動作には、所定の期間Ｔｏｖｒ、電力が印加されている期間が継続する必要がある。この期間Ｔｏｖｒによって、過渡的な過大電力の場合等には、過電力保護を不要に動作させることがなく、安定して安全な動作を継続させることができる。
【００７８】
本実施形態の点灯装置１０では、安全回路４０が異常電流保護機能を有しているので、外部に接続される負荷に起因する問題以外にも、点灯装置１０の内部の部品の不具合等に起因する過大な電流に対して、点灯装置１０の破損等から保護することができる。
【００７９】
安全回路４０は、ＤＣ−ＤＣコンバータ２６内のスイッチング素子や電流検出器１２２の短絡等によって、検出電流Ｉｄｅｔ１が基準電源１３４の値Ｉｒｅｆまで上昇しない場合を検出することができる。図２において、△印のように過電流しきい値内で動作しているにもかかわらず、時間が経過してもその値が規定値に達しない場合には、点灯装置１０の内部に不具合があると判定して、点灯装置１０は動作を停止される。点灯装置１０は、動作を停止することによって、発熱が抑制される。
【００８０】
本実施形態の点灯装置１０では、異常電流保護機能によって、点灯装置が異常電流であるとして停止した場合には、停止後、期間Ｔｆｌｔ２経過したときには、点灯装置１０は再起動する。再起動した点灯装置１０が正常な動作に復帰した場合には、点灯装置１０は動作を継続することができる。
【００８１】
異常電流保護機能が動作したときに、点灯装置１０が遮断と再起動とを繰り返すことによって、負荷である照明ユニット２が点滅することになる。ユーザは、照明ユニット２の点滅によって、点灯装置１０に不具合が生じていることを認識することができ、電源遮断等の的確な行動をとることができる。
【００８２】
異常電流保護機能の動作について、遮断と再起動のデューティサイクルを適切に設定することによって、不具合発生箇所等の温度上昇を抑制することができ、安全な保護を実現することができる。なお、異常電流保護機能の動作時に所定の期間経過後、あるいは遮断と再起動の繰り返しを所定回数行った後、点灯装置１０を遮断するようにしてもよい。
【００８３】
以上説明した実施形態によれば、保護機能の誤動作を回避しつつ確実に保護機能を発揮することができる点灯装置を実現することができる。
【００８４】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００８５】
１  交流電源、２  照明ユニット、２ａ  光源、１０  点灯装置、２０  電力変換部、２２  突入電流防止回路、２４  整流平滑回路、２６  ＤＣ−ＤＣコンバータ、３０  制御回路、４０  安全回路、１３１  調光制御回路、１３２  ＰＷＭ回路、１３３  電流制御アンプ、１３４  基準電源、１４１  過電圧検出部、１４２  過電流検出部、１４３  電力演算部、１４４  過電力検出部、１４５  異常電流検出部
【図１】
2018055853.tif 000003
【図２】
2018055853.tif 000004
【図３】
2018055853.tif 000005